(57)【要約】      （修正有）【課題】蓋ケース部を十分に開いたときにも転倒しないし難い構造であって、且つ作業に支障のない構造のフェライトクランプを提供する。【解決手段】フェライトクランプは、一対のヒンジ２０によって連結された本体ケース部１１と蓋ケース部１２を備えたものである。ヒンジ２０は連結板部材２１と、蓋ケース部１２に固着された第１軸２２並びに第２軸２３とで構成されている。連結板部材２１は略矩形の板部材であって、第１軸２２をガイドする第１ガイド部２１ａ、第２軸２３をガイドする第２ガイド部２１ｂが一端に形成されている。第２ガイド部２１ｂは略Ｗ字状カムである。連結板部材２１の他端は本体ケース部１１に一対の固定ネジ２４，２５により固着されている。【選択図】図４
2015088546.tif 000002
【特許請求の範囲】
【請求項１】
一対のヒンジによって連結された本体ケース部と蓋ケース部とから成る保持ケースを備えたフェライトクランプにおいて、前記ヒンジは前記蓋ケース部に固着された第１軸並びに第２軸と、前記第１軸並びに第２軸をそれぞれガイドする第１ガイド部並びに第２ガイド部が一端に形成され且つ他端は前記本体ケース部に固着された連結板部材とから成ることを特徴とするフェライトクランプ。
【請求項２】
前記ヒンジにおいて、第１ガイド部は第１軸を蓋閉位置から蓋全開位置までガイドする垂直な直線溝であり、第２ガイド部は前記蓋部ケースの重心を通る垂直線が前記本体ケース部の底面上から外れない位置まで前記第２軸を前記第１軸の回りを回転するようにガイドする略Ｗ字状カムであることを特徴とする請求項１に記載のフェライトクランプ。
【請求項３】
前記ヒンジにおいて、第１ガイド部は第１軸を蓋閉位置から蓋全開位置までガイドする垂直な直線溝であり、第２ガイド部は前記蓋部ケースの重心を通る垂直線が前記本体ケース部の底面上から外れない位置まで前記第２軸を前記第１軸の回りを回転するようにガイドする略Ｃ字状溝であることを特徴とする請求項１に記載のフェライトクランプ。
【請求項４】
前記ヒンジにおいて、第１ガイド部は第１軸を蓋閉位置から蓋全開位置までガイドする垂直な直線溝であり、第２ガイド部は前記蓋部ケースの重心を通る垂直線が前記本体ケース部の底面上から外れない位置まで前記第２軸を前記第１軸の回りを回転するようにガイドする略Ｃ字状カムであることを特徴とする請求項１に記載のフェライトクランプ。
【請求項５】
一対のヒンジによって連結された本体ケース部と蓋ケース部とから成る保持ケースを備えたフェライトクランプにおいて、前記一対のヒンジはそれぞれ前記蓋ケース部に固着された第１軸並びに第２軸、前記本体ケース部に固着された一対の結合軸、及び前記一対の結合軸を蓋閉位置から蓋全開位置まで垂直にガイドする一対のガイド部が下部に形成された略矩形の連結板部材とから構成され、前記連結板部材の上部には前記蓋部ケースの重心を通る垂直線が前記本体ケース部の底面上から外れない位置まで前記第２軸を前記第１軸の回りに回転するようにガイドする略Ｃ字状溝が形成されていることを特徴とするフェライトクランプ。
【請求項６】
蓋全閉状態においては、前記ヒンジは回転がロックされていることを特徴とする請求項２〜５のいずれかに記載のフェライトクランプ。
【請求項７】
蓋全開状態においては、前記ヒンジは前記蓋ケース部の重心を下げることを特徴とする請求項２、３、５のいずれかに記載のフェライトクランプ。
【請求項８】
前記蓋ケース部には手提げ用把手が取り付けられていることを特徴とする請求項１から５のいずれかに記載のフェライトクランプ。
【発明の詳細な説明】
【技術分野】
【０００１】
本発明は、分割型フェライトコアをケーブルや電線に外嵌して固定するフェライトクランプに関し、特にその保持用ケースの構造に関する。
【背景技術】
【０００２】
特開平５−２７５２４１号公報（特許文献１）には、リング状のフェライトコアをその対称軸と平行な平面で２分割しそれぞれの分割面が互いに接することができるようにそれぞれ別個の支持部材に固定しておき、これら支持部材の側端部をヒンジで互いに回転自在に接続することにより、信号ケーブルの両端にコネクタを装着した後でも容易に短時間で信号ケーブルの外周部にリング状にフェライトコアを装着させることができ、信号内を伝送される不用な高周波数帯の成分を減少させるフェライトクランプが記載されている。
【０００３】
特開２０１３−１１０１６５号公報（特許文献２）には、開環状に形成され、互いに組み合わせると電線を挿通させるための挿通孔を有した環状の磁性体コアを形成する一対の分割コアと、該各分割コアをそれぞれ包持し、ヒンジを介して連結された一対のケース部、及び、該各ケース部にそれぞれ設けられて少なくとも一方がフック状に構成されることにより互いに係合可能に構成され、該ケース部同士を閉じ合わせた状態に固定することで該各ケース部に包持された前記分割コアを環状に組み合わせる一対の係合部を備えた保持ケースと、を備え、前記磁性体コアを電線に外嵌させ、該電線を流れる雑音電流を吸収するフェライトクランプにおいて、前記保持ケースと一体に構成され、自身が支持体に固定されることによって前記保持ケースを前記支持体に固定する固定部と、前記一対のケース部のうちの、前記固定部による前記支持体への固定時に前記支持体側に配設される支持体側ケース部と一体に形成され、該固定時に前記支持体からの押圧力を受けて前記支持体側ケース部に対して変位し、当該支持体側ケース部に包持された前記分割コアを他方の前記分割コアに向けて押圧する押圧部と、を備えたことを特徴とするフェライトクランプが記載されている。
【０００４】
ところで、フェライトクランプは電線やケーブルに取り付けられると、取り外されることは殆どあり得ない。ところが、電子機器のイミュニティ試験やエミッション試験等に用いられるフェライトクランプは、当該機器のケーブルや電線に取り付けられ、試験終了後はケーブルや電線から取り外されるものである。本明細書では、保持ケースを構成する一対のケース部の内の蓋として機能するケース部を蓋ケース部と呼び、他方のケース部を本体ケース部と呼ぶことにする。
【０００５】
フェライトクランプの一例は、縦２３２ｍｍ、横１４１ｍｍ、高さ１７４ｍｍの保持ケースにフェライトの分割コアが収納されたものであり、重量は約１０ｋｇに達する。フェライトの分割コアは前記保持ケースを構成する本体ケース部と蓋ケース部にそれぞれ収納されており、本体ケース部と蓋ケース部の重量はそれぞれ約５ｋｇである。
【０００６】
このように重量のある蓋ケース部１２を、図１５に示す如く、ヒンジ５０の回りに蓋開方向に回転させて全開若しくはその近くまで開くと、フェライトクランプの重心を通る垂直線と本体ケース部の底面との交点Ｓは中心から大幅に外れた端部近くに位置することになる。このような状態になれば、フェライトクランプは静止状態では転倒しなくても、少しの外力が加わるだけで転倒してしまう。フェライトクランプが転倒すると、作業に支障が出るだけでなく、携帯型フェライトクランプが取り付けられるケーブルを損傷してしまう危険もある。そこで、重量のある蓋ケース部を全開若しくはその近くまで開いても、転倒し難い携帯型フェライトクランプの開発が求められている。棒状ダンパーで蓋ケース部と本体ケース部を連結した携帯型フェライトクランプが考えられるが、棒状ダンパーはケーブルへの携帯型フェライトクランプの取り付け・取り外しの作業に支障をきたすので、このような解決策は実用的ではない。
【先行技術文献】
【特許文献】
【０００７】
【特許文献１】特開平５−２７５２４１号公報
【特許文献２】特開２０１３−１１０１６５号公報
【発明の概要】
【発明が解決しようとする課題】
【０００８】
発明が解決しようとする課題は、フェライトの一対の分割コアをそれぞれ収納した本体ケース部と蓋ケース部とから成る保持ケースを備えたフェライトクランプにおいて、蓋ケース部を全開したときに転倒し難い構造であって、且つ作業に支障のない構造のフェライトクランプを提供することである。
【課題を解決するための手段】
【０００９】
本発明の課題を解決するフェライトクランプは、フェライトの分割コアがそれぞれ収納され且つ一対のヒンジによって連結された本体ケース部と蓋ケース部とから成る保持ケースを備えたフェライトクランプにおいて、前記一対のヒンジはそれぞれ前記蓋ケース部に固着された第１軸並びに第２軸と、前記第１軸をガイドする第１ガイド部並びに前記第２軸をガイドする第２ガイド部が一端に形成され且つ他端は前記本体ケース部に固着された連結板部材とから成ることを特徴とするものである。
【発明の効果】
【００１０】
本発明に係るフェライトクランプでは、蓋ケース部に固着された第１軸並びに第２軸と、前記第１軸並びに第２軸をそれぞれガイドする第１ガイド部並びに第２ガイド部が一端に形成され且つ他端は本体ケース部に固着された連結板部材とから成るヒンジを用いて本体ケース部と蓋ケース部を連結したので、蓋ケース部を全開した状態でもフェライトクランプの重心を通る垂直線を従来よりも大幅に本体ケース部の中心側に位置するようにすることができた。従って、蓋ケース部を作業に支障のない角度に全開した状態でもフェライトクランプは転倒し難くなり、例えば電子機器のイミュニティ試験やエミッション試験のための最適な携帯型フェライトクランプが実現した。
【図面の簡単な説明】
【００１１】
【図１】実施例１のフェライトクランプの全閉状態で示した６面図で、（Ａ）は左側面図、（Ｂ）は正面図、（Ｃ）は右側面図、（Ｄ）は背面図、（Ｅ）は平面図、（Ｆ）は底面図である。
【図２】実施例１のフェライトクランプの全閉状態で示した左側面図の拡大図である。
【図３】実施例１のフェライトクランプの左側面図で示した全閉状態から全開状態までの蓋開動作の説明図である。
【図４】実施例１のフェライトクランプの全開状態で示した左側面図の拡大図である。
【図５】実施例２のフェライトクランプの全閉状態で示した６面図で、（Ａ）は左側面図、（Ｂ）は正面図、（Ｃ）は右側面図、（Ｄ）は背面図、（Ｅ）は平面図、（Ｆ）は底面図である。
【図６】実施例２のフェライトクランプの全閉状態で示した左側面図の拡大図である。
【図７】実施例２のフェライトクランプの全開状態で示した左側面図の拡大図である。
【図８】実施例３のフェライトクランプの全閉状態で示した６面図で、（Ａ）は左側面図、（Ｂ）は正面図、（Ｃ）は右側面図、（Ｄ）は背面図、（Ｅ）は平面図、（Ｆ）は底面図である。
【図９】実施例３のフェライトクランプの全閉状態で示した左側面図の拡大図である。
【図１０】実施例３のフェライトクランプの全開状態で示した左側面図の拡大図である。
【図１１】実施例４のフェライトクランプの全閉状態で示した６面図で、（Ａ）は左側面図、（Ｂ）は正面図、（Ｃ）は右側面図、（Ｄ）は背面図、（Ｅ）は平面図、（Ｆ）は底面図である。
【図１２】実施例４のフェライトクランプの全閉状態で示した左側面図の拡大図である。
【図１３】実施例４のフェライトクランプの全開状態の直前で示した左側面図の拡大図である。
【図１４】実施例４のフェライトクランプの全開状態で示した左側面図の拡大図である。
【図１５】従来のフェライトクランプの全開状態で示した左側面図である。
【発明を実施するための形態】
【００１２】
本発明は、フェライトの分割コアがそれぞれ収納され且つ一対のヒンジによって連結された本体ケース部と蓋ケース部から成る保持ケースを備えたフェライトクランプにおいて、前記ヒンジは前記蓋ケース部に固着された第１軸並びに第２軸と、前記第１軸をガイドする第１ガイド部並びに前記第２軸をガイドする第２ガイド部が一端に形成され且つ他端は前記本体ケース部に固着された連結板部材とから成ることを特徴とするフェライトクランプである。
【実施例１】
【００１３】
実施例１のフェライトクランプは、図１から図４に示す如く、一対のヒンジ２０によって連結された本体ケース部１１と蓋ケース部１２を備えた保持ケース１０を備えたものである。このフェライトクランプは、蓋閉時に蓋ケース部１２と本体ケース部１１を締結する一対のパチン錠３０を備えている。パチン錠３０は、本体ケース部１１に取り付けられた係止枠３０ａと蓋ケース部１２に取り付けられた係止爪３０ｂを有する。本体ケース部１１と蓋ケース部１２には、フェライトクランプが閉じられたときにケーブル挿通孔４０を形成する半円形の凹部１１ａと１２ａがそれぞれ設けられている。
【００１４】
図示しないが、本体ケース部１１と蓋ケース部１２にはフェライトの分割コアがそれぞれ収納されている。本体ケース部１１の収納部と蓋ケース部１２の収納部の容量は同じである。従って、分割コアが収納された本体ケース部と蓋ケース部の重量はフェライトクランプの総重量のそれぞれ約半分である。なお、本体ケース部１１の収納部と蓋ケース部１２の収納部の構造は本発明を特徴付けるものではないので、詳細な説明は省略する。
【００１５】
ヒンジ２０は連結板部材２１と、蓋ケース部１２に固着された第１軸２２並びに第２軸２３とで構成されている。連結板部材２１は略矩形の板部材であって、第１軸２２をガイドする第１ガイド部２１ａ、第２軸２３をガイドする第２ガイド部２１ｂが一端に形成されている。連結板部材２１の他端は本体ケース部１１に一対の固定ネジ２４，２５により固着されている。
【００１６】
第１ガイド部２１ａは第１軸２２をその下限位置からその上限位置まで垂直にガイドする有底垂直溝である。第２ガイド部２１ｂは第２軸２３を第１軸２２の回りを回転させるようにガイドすると共に、蓋全閉時には第２軸２３を蓋全閉時の所定位置にロックし、且つ蓋全開時には第２軸２３を蓋全開時の所定位置にロックする略Ｗ字状カムである。前記略Ｗ字状カムは、連結板部材２１の上端の中央部に形成された水平ガイド部と、前記水平ガイド部の両側に形成された一対の有底垂直溝部から成る。前記水平ガイド部の両端は丸めてある。
【００１７】
このように構成された実施例１のフェライトクランプの蓋ケース部１２は、図３（ａ）から図３（ｆ）に示す動作を順に経て、全閉位置から全開位置に回転する。蓋全閉状態では、図３（ａ）に示す如く、第１軸２２は第１ガイド部２１ａである有底垂直溝の下限位置にあり、第２軸２３は第２ガイド部２１ｂである略Ｗ字状カムの右側の有底垂直溝部の下限位置ある。これに対して蓋全開状態では、図３（ｆ）に示す如く、第１軸２２は第１ガイド部２１ａである有底垂直溝の下限位置にあり、第２軸２３は第２ガイド部２１ｂである略Ｗ字状カムの左側の有底垂直溝部の下限位置にある。
【００１８】
実施例１のフェライトクランプを開くとき、作業員は先ず一対のパチン錠３０を開錠する。次に、作業員は蓋ケース部１２を持ち上げる。すると、第１軸２２は第１ガイド部２１ａによってその下限位置からその上限位置まで垂直にガイドされ、同時に第２軸２３は第２ガイド部２１ｂの右側の有底垂直溝部の下限位置から上限位置、従って前記略Ｗ字状カムの水平ガイド部の右側の端部までガイドされ、フェライトクランプは図３（ｂ）に示す状態になる。このようにして蓋ケース部１２が持ち上がると、第２軸２３の蓋全閉時のロック状態が解かれた状態となる。
【００１９】
第２軸２３の蓋全閉時のロック状態が解かれた図３（ｂ）に示す状態から、作業員が蓋ケース部１２を蓋開方向に回転させると、第２軸２３は第１軸２２を枢軸にして第２ガイド部２１ｂである略Ｗ字状カムの水平ガイド部に沿って回転し、図３（ｃ）、図３（ｄ）の蓋開位置を順に経て図３（ｅ）の蓋開位置に達する。このとき、第２軸２３は第２ガイド部２１ｂである前記略Ｗ字状カムの水平ガイド部の左側の端部に達している。
【００２０】
図３（ｅ）の蓋開位置に達すると、蓋ケース部１２は自重により、図３（ｆ）の状態となる。即ち、第１軸２２は第１ガイド部２１ａによってその下限位置まで下降し、同時に第２軸２３は第２ガイド部２１ｂの左側の有底垂直溝部に沿ってその下限位置まで下降する。これにより、蓋ケース部１２の重心は下がり、且つ蓋ケース部１２の蓋開方向の回転はこの位置で阻止される。同時に、蓋ケース部１２は時計方向の回転もこの位置で阻止される。
【００２１】
図３（ｆ）の拡大図である図４において、フェライトクランプの重心Ｐを通る垂直線と本体ケース部１１の底面との交点Ｓは、図１５の従来のフェライトクランプに全開時の交点Ｓに比べると、本体ケース部１１の端部から中心側に大幅に寄っている。従って、蓋ケース部１２は図４の状態で安定し、フェライトクランプは静止状態では転倒しないことは勿論のこと、多少の外力が蓋ケース部１２に加わっても転倒することはない。しかも、蓋全開状態の図４から理解される如く、蓋ケース部１２はケーブルをフェライトクランプに取り付け・取り外しする作業に支障のない角度に十分に開かれている。
【００２２】
ところで、図４ではフェライトクランプの重心Ｐは、本体ケース部１１の重心Ｑと蓋ケース部１２の重心Ｒを結ぶ線上の丁度中間に位置しているが、本体ケース部１１と蓋ケース部１２の重量が異なると位置は異なる。いずれにしても、上述の２軸タイプのヒンジを用いることによって、作業員の作業によって蓋ケース部１２に大きな外力が加わる恐れは極めて少ない全開角度であって、多少の外力が加わっても転倒しにくい全開角度のフェライトクランプを実現することができる。従って、実施例１のフェライトクランプは、蓋ケース部１２を作業に支障のない角度に全開した状態でも転倒し難くなり、例えば電子機器のイミュニティ試験やエミッション試験のための最適な携帯型フェライトクランプである。
【００２３】
蓋ケース部１２を一定高さだけ持ち上げた後に、一定角度だけ第２軸２３を第１軸２２の回りに回転させるようにガイドする連結板部材２１に設けた２軸タイプのヒンジ２０で本体ケース部１１と蓋ケース部１２を連結したフェライトクランプの効果である。
【００２４】
蓋ケース部１２には、作業員が蓋ケース部１２を開閉するための手提げ用把手１４が取り付けられている。
【実施例２】
【００２５】
実施例２のフェライトクランプは、図５〜図７に示す如く、一対のヒンジ２０によって連結された本体ケース部１１と蓋ケース部１２をそなえたから成る保持ケース１０を備えたものである。このフェライトクランプは、蓋閉時に蓋ケース部１２と本体ケース部１１を締結する一対のパチン錠３０を備えている。パチン錠３０は、本体ケース部１１に取り付けられた係止枠３０ａと蓋ケース部１２に取り付けられた係止爪３０ｂを有する。本体ケース部１１と蓋ケース部１２には、フェライトクランプが閉じられたときにケーブル挿通孔４０を形成する半円形の凹部１１ａと１２ａがそれぞれ設けられている。
【００２６】
ヒンジ２０は連結板部材２１と、蓋ケース部１２に固着された第１軸２２並びに第２軸２３とで構成されている。連結板部材２１は略矩形の板部材であって、第１軸２２をガイドする第１ガイド部２１ａ、第２軸２３をガイドする第２ガイド部２１ｂが一端に形成されている。連結板部材２１の他端は本体ケース部１１に一対の固定ネジ２４，２５により固着されている。
【００２７】
第１ガイド部２１ａは第１軸２２をその下限位置からその上限位置まで垂直にガイドする有底垂直溝である。第２ガイド部２１ｂは第２軸２３を第１軸２２の回りを４分の１周ほど回転させるようにガイドすると共に、蓋全閉時には第２軸２３を蓋全閉時の所定位置にロックし、且つ蓋全開時には第２軸２３を蓋全開時の所定位置にロックする略Ｃ字状溝である。前記略Ｃ字状溝は、連結板部材２１の上端の中央部に形成された４分の１円形ガイド部と、前記４分の１円形ガイド部の両側に形成された一対の有底垂直溝部から成る。
【００２８】
このように構成された実施例２のフェライトクランプの蓋ケース部１２は、蓋全閉状態では、図６に示す如く、第１軸２２は第１ガイド部２１ａの下限位置にあり、第２軸２３は第２ガイド部２１ｂである略Ｃ字状溝の右側の有底垂直溝部の下限位置にある。
【００２９】
実施例２のフェライトクランプを開くとき、作業員は先ず一対のパチン錠３０を開錠する。次に、作業員は蓋ケース部１２を持ち上げる。すると、第１軸２２は第１ガイド部２１ａによってその下限位置からその上限位置まで垂直にガイドされ、同時に第２軸２３は第２ガイド部２１ｂの右側の有底垂直溝部の下限位置からその上限位置、従って前記略Ｃ字状溝の４分の１円形ガイド部の端部までガイドされる。このようにして蓋ケース部１２が持ち上がると、第２軸２３の蓋全閉時のロック状態が解かれた状態となる。
【００３０】
第２軸２３の蓋全閉時のロック状態が解かれた状態から、作業員が蓋ケース部１２を蓋開方向に回転させると、第２軸２３は第１軸２２を枢軸にして第２ガイド部２１ｂである略Ｃ字状溝の４分の１円形ガイド部に沿って回転し、実施例１の図３（ｅ）と同じような蓋開位置に達する。このとき、第２軸２３は前記略Ｃ字状溝の４分の１円形ガイド部の左側の端部に達している。
【００３１】
第２軸２３が上述の蓋開位置に達すると、蓋ケース部１２は自重により、実施例１の図３（ｆ）と同じような状態となる。即ち、図７に示す如く、第１軸２２は第１ガイド部２１ａによってその上限位置から下限位置まで下降し、同時に第２軸２３は第２ガイド部２１ｂの左側の有底垂直溝部によってその上限位置から下限位置まで下降する。これにより、蓋ケース部１２の重心は下がり、且つ蓋ケース部１２の蓋開方向の回転はこの位置で阻止される。同時に、蓋ケース部１２は時計方向の回転もこの位置で阻止される。
【００３２】
実施例２においても、図７から理解される如く、フェライトクランプの重心を通る垂直線と本体ケース部１１の底面との交点は、本体ケース部１１の端部から中心側に大幅に寄っている。従って、蓋ケース部１２は図７の状態で安定し、フェライトクランプは静止状態では転倒しないことは勿論のこと、多少の外力が蓋ケース部１２に加わっても転倒することはない。しかも、蓋全開状態の図７から理解される如く、蓋ケース部１２はケーブルをフェライトクランプに取り付け・取り外しする作業に支障のない角度に十分に開かれているから、作業員の作業によって蓋ケース部１２に大きな外力が加わる恐れは極めて少ない。従って、実施例２のフェライトクランプは、蓋ケース部１２を作業に支障のない角度に全開した状態でも転倒し難くなり、例えば電子機器のイミュニティ試験やエミッション試験のための最適な携帯型フェライトクランプである。
【００３３】
蓋ケース部１２を一定高さだけ持ち上げた後に、一定角度だけ第２軸２３を第１軸２２の回りに回転させるようにガイドする連結板部材２１に設けた２軸タイプのヒンジ２０で本体ケース部１１と蓋ケース部１２を連結したフェライトクランプの効果である。
【００３４】
蓋ケース部１２には、作業員が蓋ケース部１２を開閉するための手提げ用把手１４が取り付けられている。
【実施例３】
【００３５】
実施例３のフェライトクランプは、図８〜図１０に示す如く、一対のヒンジ２０によって連結された本体ケース部１１と蓋ケース部１２から成る保持ケース１０を備えたものである。このフェライトクランプは、蓋閉時に蓋ケース部１２と本体ケース部１１を締結する一対のパチン錠３０を備えている。パチン錠３０は、本体ケース部１１に取り付けられた係止枠３０ａと蓋ケース部１２に取り付けられた係止爪３０ｂを有する。本体ケース部１１と蓋ケース部１２には、フェライトクランプが閉じられたときにケーブル挿通孔４０を形成する半円形の凹部１１ａと１２ａがそれぞれ設けられている。
【００３６】
ヒンジ２０は連結板部材２１と、蓋ケース部１２に固着された第１軸２２並びに第２軸２３とで構成されている。連結板部材２１は略矩形の板部材であって、第１軸２２をガイドする第１ガイド部２１ａ、第２軸２３をガイドする第２ガイド部２１ｂが一端に形成されている。連結板部材２１の他端は本体ケース部１１に一対の固定ネジ２４，２５により固着されている。
【００３７】
第１ガイド部２１ａは第１軸２２をその下限位置からその上限位置まで垂直にガイドする有底垂直溝である。第２ガイド部２１ｂは第２軸２３を第１軸２２の回りを４分の１周ほど回転させるようにガイドすると共に、蓋全閉時には第２軸２３を蓋全閉時の所定位置にロックし、且つ蓋全開時には第２軸２３を蓋全開時の所定位置にロックする略Ｃ字状カムである。前記略Ｃ字状カムは、連結板部材２１の上端の右端に形成された４分の１円形ガイド部並びに上端面である水平ガイド部と、前記４分の１円形ガイド部の右側に形成された右側垂直ガイド部並びに前記水平ガイド部の左側に形成された左側垂直ガイド部から成る。前記右側垂直ガイド部は連結板部材２１の右側面の一部、前記左側垂直ガイド部は連結板部材２１の左側面の一部である。
【００３８】
このように構成された実施例３のフェライトクランプの蓋ケース部１２は、蓋全閉状態では、図８に示す如く、第１軸２２は第１ガイド部２１ａである有底垂直溝部の下限位置にあり、第２軸２３は第２ガイド部２１ｂである略Ｃ字状カムの右側の垂直ガイド部の下限位置にある。
【００３９】
実施例３のフェライトクランプを開くとき、作業員は先ず一対のパチン錠３０を開錠する。次に、作業員は蓋ケース部１２を持ち上げる。すると、第１軸２２は第１ガイド部２１ａによってその下限位置からその上限位置まで垂直にガイドされ、同時に第２軸２３は第２ガイド部２１ｂである略Ｃ字状カムの右側の垂直ガイド部のその下限位置から上限位置、従って前記略Ｃ字状カムの４分の１円形ガイド部の端部までガイドされる。このようにして蓋ケース部１２が持ち上がると、第２軸２３の蓋全閉時のロック状態が解かれた状態となる。
【００４０】
第２軸２３の蓋全閉時のロック状態が解かれた状態から、作業員が蓋ケース部１２を蓋開方向に回転させると、第２軸２３は第１軸２２を枢軸にして第２ガイド部２１ｂである略Ｃ字状カムの４分の１円形ガイド部に沿って回転し、図１０に示す如く、第２軸２３は前記略Ｃ字状カムの４分の１円形ガイド部の左側端部に達している。
【００４１】
実施例１と実施例２と異なり、蓋全開時のロックはなされていないが、実施例３においても、図１０から理解される如く、フェライトクランプの重心を通る垂直線と本体ケース部１１の底面との交点は、本体ケース部１１の端部から中心側に大幅に寄っている。従って、蓋ケース部１２は図１０の状態で安定し、フェライトクランプは静止状態では転倒しないことは勿論のこと、多少の外力が蓋ケース部１２に加わっても転倒することはない。しかも、蓋全開状態の図１０から理解される如く、蓋ケース部１２はケーブルをフェライトクランプに取り付け・取り外しする作業に支障のない角度に十分に開かれているから、作業員の作業によって蓋ケース部１２に大きな外力が加わる恐れは極めて少ない。従って、実施例２３フェライトクランプは、蓋ケース部１２を作業に支障のない角度に全開した状態でも転倒し難くなり、例えば電子機器のイミュニティ試験やエミッション試験のための最適な携帯型フェライトクランプである。
【００４２】
蓋ケース部１２を一定高さだけ持ち上げた後に、一定角度だけ第２軸２３を第１軸２２の回りに回転させるようにガイドする連結板部材２１に設けたヒンジ２０で本体ケース部１１と蓋ケース部１２を連結したフェライトクランプの効果である。
【００４３】
蓋ケース部１２には、作業員が蓋ケース部１２を開閉するための手提げ用把手１４が取り付けられている。
【実施例４】
【００４４】
実施例４のフェライトクランプは、図１１〜図１４に示す如く、一対のヒンジ２０によって連結された本体ケース部１１と蓋ケース部１２から成る保持ケース１０を備えたものである。このフェライトクランプは、蓋閉時に蓋ケース部１２と本体ケース部１１を締結する一対のパチン錠３０を備えている。パチン錠３０は、本体ケース部１１に取り付けられた係止枠３０ａと蓋ケース部１２に取り付けられた係止爪３０ｂを有する。本体ケース部１１と蓋ケース部１２には、フェライトクランプが閉じられたときにケーブル挿通孔４０を形成する半円形の凹部１１ａと１２ａがそれぞれ設けられている。
【００４５】
ヒンジ２０は連結板部材２１と、蓋ケース部１２に固着された第１軸２２並びに第２軸２３と、本体ケース部１１に固着された一対の結合軸２６、２７で構成されている。連結板部材２１は、第１結合軸２６並びに第２結合軸２７を下限位置から上限位置まで垂直にガイドする第１結合軸ガイド部２１ｃ並びに第２結合軸ガイド部２１ｄが下部に形成され、且つ第２軸２３を第１軸２２の回りを回転させるガイド部が上部に形成された板状部材である。前記ガイド部は、略Ｃ字状溝の４分の１円形溝ガイド部である。
【００４６】
このように構成された実施例４のフェライトクランプの蓋ケース部１２は、蓋全閉状態では、図１２に示す如く、一対の結合軸２６、２７は一対の結合軸ガイド部２１ｃ、２１ｄの上限位置にある。
【００４７】
実施例４のフェライトクランプを開くとき、作業員は先ず一対のパチン錠３０を開錠する。次に、作業員は蓋ケース部１２を持ち上げる。すると、一対の結合軸２６、２７は一対の結合軸ガイド部２１ｃ、２１ｄによってその上限位置からその下限位置まで垂直にガイドされる。このようにして蓋ケース部１２が持ち上がると、第２軸２３の蓋全閉時のロック状態が解かれた状態となる。
【００４８】
第２軸２３の蓋全閉時のロック状態が解かれた状態から、作業員が蓋ケース部１２を蓋
第２軸２３が上述の蓋全開位置に達すると、蓋ケース部１２は蓋開方向の回転をこの位置で阻止される。そして、蓋ケース部１２は自重により、一対の結合軸２６、２７は一対の結合軸ガイド部２１ｃ、２１ｄの下限位置に移動する。すると、蓋ケース部の重心は、図１３に示す状態よりも図１４に示す状態に下がる。従って、図１４に示す如く、実施例４のフェライトクランプは安定した蓋全開状態になる。
【００４９】
実施例１と実施例２と異なり、蓋全開時のロックはなされていないが、実施例４においても、図１４から理解される如く、フェライトクランプの重心を通る垂直線と本体ケース部１１の底面との交点は、本体ケース部１１の端部から中心側に大幅に寄っている。従って、蓋ケース部１２は図１４の状態で安定し、フェライトクランプは静止状態では転倒しないことは勿論のこと、多少の外力が蓋ケース部１２に加わっても転倒することはない。しかも、蓋全開状態の図１４から理解される如く、蓋ケース部１２はケーブルをフェライトクランプに取り付け・取り外しする作業に支障のない角度に十分に開かれているから、作業員の作業によって蓋ケース部１２に大きな外力が加わる恐れは極めて少ない。従って、実施例４のフェライトクランプは、蓋ケース部１２を作業に支障のない角度に全開した状態でも転倒し難くなり、例えば電子機器のイミュニティ試験やエミッション試験のための最適な携帯型フェライトクランプである。
【００５０】
蓋ケース部１２には、作業員が蓋ケース部１２を開閉するための手提げ用把手１４が取り付けられている。
【符号の説明】
【００５１】
１０  保持ケース
１１  本体ケース部
１１ａ  挿通孔を形成する凹部
１２  蓋ケース部
１２ａ  挿通孔を形成する凹部
２０  ヒンジ
２１  連結板部材
２１ａ  第１ガイド部  
２１ｂ  第２ガイド部  
２１ｃ  第１結合軸ガイド部  
２１ｄ  第２結合軸ガイド部  
２２  第１軸
２３  第２軸
２４  固定ネジ
２５  固定ネジ
２６  第１結合軸
２７  第２結合軸
３０  パチン錠
３０ａ  係止枠
３０ｂ  係止爪
４０  挿通孔
Ｐ  フェライトクランプの重心
Ｑ  本体ケース部の重心
Ｒ  蓋ケース部の重心
Ｓ  垂直線Ｌ２と本体ケース部の底面との交点
Ｌ１  本体ケース部の重心と蓋ケース部の重心を結ぶ線
Ｌ２  フェライトクランプの重心を通る垂直線
【図１】
2015088546.tif 000003
【図２】
2015088546.tif 000004
【図３】
2015088546.tif 000005
【図４】
2015088546.tif 000006
【図５】
2015088546.tif 000007
【図６】
2015088546.tif 000008
【図７】
2015088546.tif 000009
【図８】
2015088546.tif 000010
【図９】
2015088546.tif 000011
【図１０】
2015088546.tif 000012
【図１１】
2015088546.tif 000013
【図１２】
2015088546.tif 000014
【図１３】
2015088546.tif 000015
【図１４】
2015088546.tif 000016
【図１５】
2015088546.tif 000017